(57)【要約】【課題】  撮像素子近傍の光学面に付着したゴミ等の異物の付着状態を容易に視認することのできるレンズ交換式のデジタルカメラを提供する。【解決手段】  撮像素子（２１６）の光学面を照明する照明手段（２１４）、動作モードとして、撮像素子（２１６）の光学面に付着した異物を除去するためのクリーニングモードに設定する設定手段（１１６）、その設定手段（１１６）によりクリーニングモードに設定された場合、その解除指示が与えられるまで、露出状態をバルブ状態に維持し（４１７）、その間、照明手段（２１４）を点灯するよう制御する制御手段（４０４）、を有する。【選択図】  図４
2005203887.tif 000002
【特許請求の範囲】
【請求項１】
撮影レンズの着脱交換が可能であり、前記撮影レンズからの被写体光を光電変換する撮像素子を用いて撮影を行うデジタルカメラであって、
前記撮像素子の光学面を照明する照明手段と、
動作モードとして、前記撮像素子の光学面に付着した異物を除去するためのクリーニングモードに設定する設定手段と、
前記設定手段によりクリーニングモードに設定された場合、その解除指示が与えられるまで、露出状態をバルブ状態に維持するとともに前記照明手段を点灯するよう制御する制御手段と、
を有することを特徴とするデジタルカメラ。
【請求項２】
前記照明手段は、前記撮像素子の光学面近傍に配置されることを特徴とする請求項１に記載のデジタルカメラ。
【請求項３】
前記照明手段は、前記撮像素子の露出レベルを決定するためのキヤリブレーション用照明装置であることを特徴とする請求項２に記載のデジタルカメラ。
【請求項４】
前記照明手段は、ミラーボックス内に配置されることを特徴とする請求項１に記載のデジタルカメラ。
【請求項５】
前記照明手段は、オートフォーカスの測距点をファインダー内に表示するスーパーインポーズ表示用の照明装置であることを特徴とする請求項４に記載のデジタルカメラ。
【請求項６】
撮影レンズの着脱交換が可能であり、前記撮影レンズからの被写体光を光電変換する撮像素子を用いて撮影を行うデジタルカメラであって、
撮影により得られた画像を表示するための液晶モニタと、
前記液晶モニタを裏面から照明する照明手段と、
前記照明手段による光を前記撮像素子の光学面まで導く導光手段と、
動作モードとして、前記撮像素子の光学面に付着した異物を除去するためのクリーニングモードに設定する設定手段と、
前記設定手段によりクリーニングモードに設定された場合、その解除指示が与えられるまで、バルブ状態を維持するとともに前記照明手段を点灯するよう制御する制御手段と、
を有することを特徴とするデジタルカメラ。
【請求項７】
撮影レンズの着脱交換が可能であり、前記撮影レンズからの被写体光を光電変換する撮像素子と、この撮像素子の光学面を照明する照明手段とを備えたデジタルカメラの制御方法であって、
動作モードとして、前記撮像素子の光学面に付着した異物を除去するためのクリーニングモードに設定する設定ステップと、
前記設定ステップによりクリーニングモードに設定された場合、その解除指示が与えられるまで、露出状態をバルブ状態に維持するとともに前記照明手段を点灯するよう制御する制御ステップと、
を有することを特徴とするデジタルカメラの制御方法。
【請求項８】
撮影レンズの着脱交換が可能であり、前記撮影レンズからの被写体光を光電変換する撮像素子と、この撮像素子を用いた撮影により得られた画像を表示するための液晶モニタと、この液晶モニタを裏面から照明する照明手段と、この照明手段による光を前記撮像素子の光学面まで導く導光手段とを備えるデジタルカメラの制御方法であって、
動作モードとして、前記撮像素子の光学面に付着した異物を除去するためのクリーニングモードに設定する設定ステップと、
前記設定ステップによりクリーニングモードに設定された場合、その解除指示が与えられるまで、露出状態をバルブ状態に維持するとともに前記照明手段を点灯するよう制御する制御ステップと、
を有することを特徴とするデジタルカメラの制御方法。
【発明の詳細な説明】
【技術分野】
【０００１】
本発明は、固体撮像素子を備えたレンズ交換式のデジタルカメラに関し、特に、固体撮像素子の結像面近傍の光学面に付着した異物を除去する際のゴミの視認性を改善したデジタルカメラおよびその制御方法に関する。
【背景技術】
【０００２】
銀塩フィルムを使用する従来のカメラでも、フィルム上にゴミが存在すると、それが写真として写り込んでしまうという問題はあったが、フィルムの場合は１駒毎にフィルムが移動するため、全ての駒に同様のゴミが写り込むことは非常に希であった。
【０００３】
しかし、デジタルカメラにあっては、 ＣＣＤ等の撮像素子の結像面近傍（例えば、ＣＣＤのカバーガラス上）に被写体とは無関係なゴミ等の異物像が存在すると、これも併せて写り込んでしまうばかりでなく、撮像素子は機械的な移動がないので、ＣＣＤ等の撮像素子上に１度ゴミが付着すると、多くの駒に繰り返し同様のゴミが写り込んでしまう恐れがある。そのため、撮影者は常にこのＣＣＤ等の撮像素子上のゴミの付着には大変気を使っていなければならず、清掃には多くの労力を費やしている。特にＣＣＤ等の撮像素子は、カメラ内部の比較的奥まったところに配置されているため、ゴミの確認は容易ではない。
【０００４】
また、レンズ交換式のデジタルカメラでは、レンズ着脱によりゴミが侵入し易いばかりでなく、多くのレンズ交換式デジタルカメラの場合、ＣＣＤ等の撮像素子の直前にフォーカルプレーンシャッターを配置していることが多いので、機械的な作動により、ＣＣＤ等の撮像素子の光学面にゴミが付着し易い構造になっている。よって、デジタルカメラでは、このＣＣＤ等の撮像素子の光学面に付着したゴミの確認や清掃が大きな課題であった。
【０００５】
そこで、 撮像素子の光学面に付着したゴミを除去するために、カメラをバルブ状態にする機能、いわゆる“クリーニングモード”が搭載されたカメラも市場に供給されるようになってきた。
【０００６】
この“クリーニングモード”とは、このモードが起動すると、クイックリターンミラーがアップして撮影光路外に退避するとともに、撮像素子の直前に配置してあるフォーカルプレーンシャッターを開放して、レンズマウント側から撮像素子面が視認できるモードである。このクリーニングモードを利用すれば、カメラがバルブ状態を維持するので、レンズマウント側からＣＣＤカバーガラス表面を清掃することが容易にでき、大変便利である。
【０００７】
上述したように、従来技術のデジタルカメラにあっては、このクリーニングモードにより、いつでも、どこでも、撮像素子（ＣＣＤ）面のゴミや汚れを取り除くことができるので、常に、異物の無いきれいな写真を撮影でき、大変便利である。
【０００８】
【特許文献１】特開２００２−３００４４２号公報
【特許文献２】特開２００３−００５２６４号公報
【発明の開示】
【発明が解決しようとする課題】
【０００９】
しかしながら、上述した従来技術のデジタルカメラでは、クリーニングモードにより撮像素子（ＣＣＤ）面のゴミや汚れを取り除く際に、オペレーターは、レンズを外し、レンズマウント側からブロアー等の清掃用の道具を使用して、ＣＣＤ面のゴミや汚れを取り除くことになるが、清掃面がミラーボックスの奥まったところに配置されているため、外光が容易に届かず、ゴミや汚れを取り除くのに充分な明るさが確保されず、ゴミの確認は容易ではないという欠点があった。
【００１０】
そこで、本発明は、撮像素子近傍の光学面に付着したゴミ等の異物の付着状態を容易に視認することのできるレンズ交換式のデジタルカメラおよびその制御方法を提供することを目的とする。
【課題を解決するための手段】
【００１１】
上記した課題は、本発明のデジタルカメラおよびその制御方法によって解決される。本発明の一側面は、撮影レンズの着脱交換が可能であり、前記撮影レンズからの被写体光を光電変換する撮像素子を用いて撮影を行うデジタルカメラに係り、前記撮像素子の光学面を照明する照明手段と、動作モードとして、前記撮像素子の光学面に付着した異物を除去するためのクリーニングモードに設定する設定手段と、前記設定手段によりクリーニングモードに設定された場合、その解除指示が与えられるまで、露出状態をバルブ状態に維持するとともに前記照明手段を点灯するよう制御する制御手段とを有することを特徴とする。
【００１２】
本発明の別の側面に係るデジタルカメラは、撮影レンズの着脱交換が可能であり、前記撮影レンズからの被写体光を光電変換する撮像素子を用いて撮影を行うデジタルカメラであって、撮影により得られた画像を表示するための液晶モニタと、前記液晶モニタを裏面から照明する照明手段と、前記照明手段による光を前記撮像素子の光学面まで導く導光手段と、動作モードとして、前記撮像素子の光学面に付着した異物を除去するためのクリーニングモードに設定する設定手段と、前記設定手段によりクリーニングモードに設定された場合、その解除指示が与えられるまで、バルブ状態を維持するとともに前記照明手段を点灯するよう制御する制御手段とを有することを特徴とする。
【００１３】
本発明の更に別の側面は、撮影レンズの着脱交換が可能であり、前記撮影レンズからの被写体光を光電変換する撮像素子と、この撮像素子の光学面を照明する照明手段とを備えたデジタルカメラの制御方法に係り、動作モードとして、前記撮像素子の光学面に付着した異物を除去するためのクリーニングモードに設定する設定ステップと、前記設定ステップによりクリーニングモードに設定された場合、その解除指示が与えられるまで、露出状態をバルブ状態に維持するとともに前記照明手段を点灯するよう制御する制御ステップとを有することを特徴とする。
【００１４】
本発明の更に別の側面は、撮影レンズの着脱交換が可能であり、前記撮影レンズからの被写体光を光電変換する撮像素子と、この撮像素子を用いた撮影により得られた画像を表示するための液晶モニタと、この液晶モニタを裏面から照明する照明手段と、この照明手段による光を前記撮像素子の光学面まで導く導光手段とを備えるデジタルカメラの制御方法に係り、動作モードとして、前記撮像素子の光学面に付着した異物を除去するためのクリーニングモードに設定する設定ステップと、前記設定ステップによりクリーニングモードに設定された場合、その解除指示が与えられるまで、露出状態をバルブ状態に維持するとともに前記照明手段を点灯するよう制御する制御ステップとを有することを特徴とする。
【発明の効果】
【００１５】
本発明のデジタルカメラによれば、クリーニングモードに設定された時に、撮像素子のカバーガラス表面を照明することができるので、容易に撮像素子近傍のゴミ、汚れを確認できるようになる。よって清掃作業がしやすくなり、大変便利である。
【発明を実施するための最良の形態】
【００１６】
以下、図面を参照して本発明の好適な実施形態について詳細に説明する。
【００１７】
（第１の実施の形態）
まず、本発明の第１の実施の形態を図１〜図５に基づき説明する。
【００１８】
図１は、本発明の第１の実施の形態に係るレンズ交換式デジタルカメラの構成を示す平面図、図２は同デジタルカメラの構成を示す背面図、図３は同デジタルカメラの構成を示す断面図である。各図において、１００はカメラ本体、１１１はファインダー観察用の接眼窓である。図１及び図２において、１１２はＡＥ（自動露出）ロックボタン、１１３はＡＦ（オートフォーカス）の測距点選択ボタンである。図１において、１１４は撮影操作をするためのレリーズボタンであり、１１５が他の操作釦と併用して、カメラに数値を入力したり、撮影モードを切り換えたりするための多機能信号入力用の電子ダイヤルである。２００は撮影レンズであって、カメラ本体１００に対して交換可能な構成になっている。
【００１９】
図１及び図２において、１１７は撮影モード選択ボタン、１１８はＡＦモード選択ボタン、１１９は測光モード選択ボタンで、調光補正ボタンも兼ねている。図２において、１２０は撮影された画像を表示するＴＦＴ（液晶表示器）モニター装置である。１２１はＴＦＴモニター装置１２０をオン／オフするためのモニタースイッチである。
【００２０】
図１及び図２において、１１６は入力用電子ダイヤル１１５と同様の機能を備えた、撮影条件等を選択するためのサブ電子ダイヤルである。図２において、１２２はこのサブ電子ダイヤル１１６による入力機能をロックするダイヤルロックスイッチ、１２３は本デジタルカメラの全ての動作を禁止するメインスイッチである。１２４はＴＦＴモニター装置１２０に画像を表示する際や、カメラの初期設定の際にモードを選択するためのメニュー釦で、各モードを選択する時は、このメニュー釦１２４を押しながらサブ電子ダイヤル１１６を回転して希望のモードを選択する。希望のモードが選択された時、メニュー釦１２４を離すと選択が完了する。このメニュー釦１２４とサブ電子ダイヤル１１６は、クリーニングモードの設定にも使用される。
【００２１】
図１及び図２において、１４０は撮影条件等を表示する外部表示機能を備えた液晶表示装置よりなる外部表示装置である。
【００２２】
図３において、撮影レンズ２００は、カメラ本体１００に対してレンズマウント２０２を介して交換可能な構成になっている。２０１は撮影光軸を示している。図３において、２０３はクイックリターンミラー、２０４はミラーホルダー、２０５はサブミラーである。クイックリターンミラー２０３とサブミラー２０５は、撮影光路内に設けられていて（斜設されて）撮影レンズ２００からの被写体光をファインダー光学系と焦点検出装置２０６の両方に導く位置（斜設位置）と、撮影光路外に退避する位置（退避位置）との間で移動可能であり、図においては斜設位置にある。また、クイックリターンミラー２０３は半透過になっていて、被写体光の一部が、ミラーホルダー２０４の中央の開口部を通過し、サブミラー２０５に反射して、焦点検出装置２０６に導かれる。
【００２３】
図３において、２０７はピント板で、ファインダー光学系に導かれる被写体光を結像する。このピント板２０７上には、後述するスーパーインポーズ表示装置の刻線（測距点）が一体的に構成されている。２０８はファインダーの視認性を向上させるためのコンデンサーレンズ、２０９はペンタゴナルダハプリズムで、ピント板２０７およびコンデンサーレンズ２０８を通った被写体光をファインダー観察用の接眼レンズ２１１および測光センサ２１０に導く。また、１１１はファインダー観察用の接眼窓である。
【００２４】
２１２、 ２１３はシャッターを構成する後幕と先幕で、これら後幕２１２、先幕２１３の開放によって、後方に配置されている固体撮像素子であるＣＣＤ２１６に必要な露光を与える。撮影時にＣＣＤ２１６に蓄積された画像データは、別に設けられた不図示の画像処理回路を通して後述する外部記憶装置に送られる。２１５はＣＣＤ２１６のパッケージを封止しているカバーガラスである。この表面に付着するゴミ、汚れが、大きな問題になっている。２１４が本発明の照明手段であるところの照明装置で、例えばカバーガラス２１５の近傍に小型の高輝度ＬＥＤを複数個配置し、後述する照明装置制御回路による制御により点灯する。これにより、従来は確認し難くかったカバーガラス上のゴミ、汚れが、照明されて、大変視認し易くなり、清掃の作業性が向上することになる。
【００２５】
２１７はプリント基板で、ＣＣＤ２１６が実装されている。この後方にＴＦＴホルダー２１８が配置されており、外側の面にＴＦＴモニター装置１２０が配置されている。ＴＦＴモニター装置１２０は透過型であるため、ＴＦＴモニター装置の駆動だけでは、画像を視認することはできず、必ずその裏面には図３に示すようにバックライト照明装置２１９が配置してある。２２１は画像データを記録するための、着脱可能な外部記憶装置で、例えばコンパクトフラッシュ（登録商標）などのフラッシュメモリーカードである。また、２２２はカメラの電源である、着脱可能な電池である。
【００２６】
図４は、本実施形態に係るデジタルカメラの電気回路構成を示すブロック図である。同図に示すように、プリント基板２１７には、カメラの動作の全てを制御するマイクロコンピューター４０２、各種データの一時的記憶領域として使用されると共にマイクロコンピューター４０２のメインメモリとして機能するＲＡＭ４２１、固定的なデータやプログラム等を記憶するＲＯＭ４２２、 ＣＣＤ２１６の出力である画像データを処理したり、ＴＦＴモニター装置１２０に画像を表示する画像表示制御回路４０３等が実装されている。また、ＲＯＭ４２２には、マイクロコンピューター４０２によって実行される、カメラ動作の制御するための制御プログラムが記憶されている。本実施形態におけるクリーニング制御は、この制御プログラムを実行することにより実現される。
【００２７】
４０４は照明装置２１４に電源を供給するための照明装置制御回路である。４０６はスイッチ１（ＳＷ１）で、レリーズボタン１１４（図１参照）の半押し状態でオン（ＯＮ）するスイッチであり、このスイッチ１がオンすると本デジタルカメラは撮影準備状態になる。４０７はスイッチ２（ＳＷ２）で、レリーズボタン１１４（図１参照）が最後まで押された状態でオン（ＯＮ）するスイッチであり、このスイッチ２がオンすると本デジタルカメラは撮影動作を開始する。
【００２８】
４０８はレンズ制御回路で、本実施の形態は、レンズ交換式のデジタルカメラであるので、撮影レンズ２００（図１及び図３参照）との通信及びＡＦ（オートフォーカス）時の撮影レンズ２００の駆動や絞り羽根の駆動の制御をこのレンズ制御回路４０８が受け持っている。また、４０９は外部表示の制御回路で外部表示装置１４０や、ファインダー内の表示装置（不図示）の制御を行う。４１１はスイッチセンス回路で、カメラ内に設けられた電子ダイヤル１１５や、サブ電子ダイヤル１１６を含む多数のスイッチ類の信号をマイクロコンピューター４０２に伝える働きをしている。
【００２９】
４１４はストロボ発光調光制御回路で、Ｘ接点４１４ａを介して接地されており、外部ストロボの制御を行う。４１５は測距回路で、ＡＦ（オートフォーカス）のための被写体に対するディフォーカス量を検出する機能を有する。４１６は測光回路で、被写体の輝度を測定する機能を有する。４１７はシャッター（後幕２１２、先幕２１３）およびミラー（クイックリターンミラー２０３）の駆動系の制御を行う回路で、撮影時にはＣＣＤ２１６に対して適正な露光を行うほか、クリーニングモード時にはミラーを撮影光路外に退避した位置に移動させるとともにシャッターをバルブ状態にする。
【００３０】
次に、本発明の第１の実施の形態に係るデジタルカメラの動作を図５に基づき説明する。図５は本実施の形態に係るデジタルカメラの動作の流れを示すフローチャートである。まず、ステップＳ５０１でメインスイッチ１２３（図２参照）がオン（ＯＮ）したか否かを判断する。ここでいうオンは、図２でメインスイッチ１２３が‘Ａ’の位置にあるときである。もしここで、メインスイッチ１２３がオフ（ＯＦＦ）の状態（‘Ｌ’の位置）であれば、そのまま何もせずスタートに戻って、またステップＳ５０１に進む。つまり、電池が入っていてもメインスイッチが‘Ｌ’の位置であれば、ステップＳ５０１からスタートの間のループを繰り返して待機しているこになる。一方、メインスイッチ１２３がオン（‘Ａ’の位置）であれば、ステップＳ５０２に進み、本デジタルカメラの各操作スイッチがオン（ＯＮ）したか否かを判断する。そして、いずれの操作スイッチも操作されていない時は、スタートに戻って、またステップＳ５０１に進む。
【００３１】
ステップＳ５０２でいずれかの操作スイッチがオンされれば、ステップＳ５０３に進み、オンした操作スイッチに対応した処理をマイクロコンピューター４０２（図４参照）により行う。この処理は、例えば、本デジタルカメラの各操作部材を操作して、撮影モードを変えたり、撮影済の画像を読み出したり、クリーニングモードを動作モードとして設定したりする処理である。ステップＳ５０３を実行した結果、クリーニングモードが設定されたか否かをステップＳ５０４で判断する。一方、クリーニングモードが設定されていなければ、通常の撮影となるので、ステップＳ５１３へ進む。もし、クリーニングモードが設定されていたら、ステップＳ５０５に進み、ＴＦＴモニター装置１２０に、“Ｃｌｅａｎｉｎｇ”を表示する（図８参照）。
【００３２】
ここで、クリーニングモードの具体的な設定方法と表示について説明しておく。図６〜図８は、上述したクリーニングモードの時の、デジタルカメラの背面部と、 クリーニングモードを選択する場合の、ＴＦＴモニター装置１２０の表示内容を示している。
【００３３】
図６において、前述したとおり、ＴＦＴモニター装置１２０に画像を表示する際や、カメラの初期設定、及び各モードを選択する際は、メニュー釦１２４を押しながらサブ電子ダイヤル１１６を回転して希望のモードを選択する。希望のモードが選択された時、メニュー釦１２４を離すと選択が完了する。
【００３４】
ゴミモード及び、クリーニングモードを選択する時は、まず、図６において、メニュー釦１２４を押すと、図６のようなメニュー画面表示になる。ここで、メニュー釦１２４を押しながらサブ電子ダイヤル１１６を回転して、１１０１のＭａｉｎ Ｍｅｎｕを選択して（文字が白黒反転する）、メニュー釦１２４を離すと、メインメニューの画面に切り換わる（メインメニューの画面については、図７を使用して後述する。）。メニュー画面を終了するときは、メニュー釦１２４を押しながらサブ電子ダイヤル１１６を回転して１１０２のＤＯＮＥを選択し（文字が白黒反転する）、メニュー釦１２４を離すと、通常のスタンバイ表示に戻る。
【００３５】
前述した、１１０１のＭａｉｎ Ｍｅｎｕを選択したときは、図７のメインメニューの画面に切り換わる。Ｍａｉｎ Ｍｅｎｕが選択されると、図７に示すように、メインメニューの画面が表示される。図７において、クリーニングモードを選択する時は、メニュー釦１２４を押しながらサブ電子ダイヤル１１６を回転して、１２０１のＣｌｅａｎｉｎｇを選択し（文字が白黒反転する）、メニュー釦１２４を離すと、クリーニングモードになる（クリーニングモードの画面については、図８を使用して後述する。）。また、図７において、メインメニューを終了するときは、１２０２のＤＯＮＥを、メニュー釦１２４を押しながらサブ電子ダイヤル１１６を回転して選択し（文字が白黒反転する）、メニュー釦１２４を離すと、通常のスタンバイ表示に戻る。
【００３６】
図８のＴＦＴモニター装置１２０に示される画面は、クリーニングモードが動作中であることを示している。クリーニングモードを終了する時は、 メニュー釦１２４を押しながらサブ電子ダイヤル１１６でＤＯＮＥアイコン１３０１を選択し、メニュー釦１２４を離すと、クリーニングモードが終了する。
【００３７】
再び図５のフローチャートを参照して、クリーニングモードの詳細な動作について説明する。図６，７を参照して説明した手順でクリーニングモードが設定されると、ステップＳ５０５において、図８に示したような“Ｃｌｅａｎｉｎｇ”表示がなされる。次に、ステップＳ５０６で、シャッター・ミラー駆動系制御回路４１７により、クイックリターンミラー２０３が撮影光路外に退避した位置に移動される（いわゆるミラーアップ）。次に、ステップＳ５０７で、シャッター・ミラー駆動系制御回路４１７により、先幕２１３が駆動され、先幕２１３のみが走行し、本実施形態のデジタルカメラはバルブ状態になる。
【００３８】
ステップＳ５０８では、照明装置２１４をＯＮにする。つまり、照明装置制御回路４０４により、ＣＣＤ２１６近傍に配置された照明装置２１４に駆動電力が供給され、ＣＣＤ２１６の光学面が照明される。ここで、レンズ２００が装着されていれば、オペレーターはレンズ２００を外して、レンズマウント２０２側から、ブロアー等の清掃用の道具を使用して、ＣＣＤ２１６の光学面（カバーガラス２１５）のゴミや汚れを取り除くことになる。本実施形態のデジタルカメラでは、ＣＣＤ２１６の光学面（カバーガラス２１５）が照明装置２１４によって照明されているので、ゴミや汚れの確認が容易で、清掃し易く大変便利である。
【００３９】
清掃が終了したら、ＴＦＴモニター装置１２０の“ＤＯＮＥ”を選択する（図８の１３０１）。ステップＳ５０９では、この“ＤＯＮＥ”が選択されたか否かを監視している。“ＤＯＮＥ”が選択されれば、ステップＳ５１０へ進み、照明装置制御回路４０４により照明装置２１４をＯＦＦにする。その後、ステップＳ５１１で、シャッター・ミラー駆動系制御回路４１７により、後幕２１２が駆動され、後幕２１２が走行してバルブ状態が解除される。最後にステップＳ５１２で、シャッター・ミラー駆動系制御回路４１７の制御により、クイックリターンミラー２０３が被写体光をファインダー光学系に導く位置（斜設位置）に戻り（いわゆるミラーダウン）、一連のクリーニングモードの動作が終了する。なお、上記したステップＳ５０６〜Ｓ５０８の一連の処理の順序は上記のとおりに限定されるものではなく、異なる順序であってもよい。ステップＳ５１０〜Ｓ５１２の順序も同様である。クリーニングモードが設定されてからその解除指示が与えられるまでの間、バルブ状態が維持されつつ、照明装置がＯＮされればよい。
【００４０】
一方、ステップＳ５０４において、クリーニングモードでない時は、ステップＳ５１３へ進み、スイッチ１（図４の４０６）がオン（ＯＮ）したか否かを判断する。前述のとおり、このスイッチ１はレリーズボタン１１４（図１参照）の半押し状態でＯＮするスイッチであり、このスイッチ１がオンすると本デジタルカメラは撮影準備状態になる。そして、スイッチ１がオフ（ＯＦＦ）していればステップＳ５０１へ戻り、またスイッチ１がオンであれば、本デジタルカメラは次のステップＳ５１４へ進む。ステップＳ５１４では、測光（ＡＥ）動作及び測距（ＡＦ）動作がそれぞれ行われ、撮影レンズ２００が駆動されて焦点合わせが行われる。
【００４１】
次に、ステップＳ５１５で、スイッチ２（図４の４０７）がオン（ＯＮ）されたか否かを判断する。前述のとおり、このスイッチ２は、レリーズボタン１１４（図１参照）が最後まで押された状態でＯＮするスイッチであり、このスイッチ２がオンすると次のステップＳ５１６へ進んで本デジタルカメラは撮影動作を開始する。一方、スイッチ２がオフ（ＯＦＦ）していればステップＳ５１３へ戻り、ステップＳ５１３からステップＳ５１５を繰り返す。
【００４２】
ステップＳ５１６では、クイックリターンミラー２０３が作動して撮影光路外に退避する（ミラーアップ）。次に、ステップＳ５１７で、ＣＣＤ２１６の蓄積が開始され、次のステップＳ５１８では、シャッターの露光、即ち、先幕２１３、後幕２１２がそれぞれ走行する。そして、ステップＳ５１９で、ＣＣＤ２１６の蓄積が終了され、次のステップＳ５２０で、ＣＣＤ２１６から画像信号が読み出されて、プリント基板２１７に内蔵されているＲＡＭ４２１に一時記憶される。そして、ステップＳ５２１で、クイックリターンミラー２０３が作動して被写体光をファインダー光学系に導く位置（斜設位置）に戻り（ミラーダウン）、一連の撮像動作が終了する。
【００４３】
このように、本発明の第１の実施の形態によれば、クリーニングモードの時、清掃すべきＣＣＤ２１６の光学面が照明されて明るいので、付着したゴミが汚れの視認が容易になり、清掃作業が短時間で容易にできるようになった。
【００４４】
また、本実施の形態では、照明装置２１４を新たに設けているが、撮像素子が分割読出し方式を採用している場合は、撮像素子の露出レベルを決定するためのキヤリブレーション用照明装置を、そのままクリーニングモードの時の照明装置に利用することが可能である。この場合、特にクリーニングモードの時の照明装置は不要になるという利点がある。
【００４５】
（第２の実施の形態）
次に、本発明の第２の実施の形態を図９〜図１１に基づき説明する。なお、本実施の形態に係るデジタルカメラの基本的な構成は、上述した第１の実施の形態における図１〜図４と概ね同様であるので、これら各図を援用して説明する。
【００４６】
本発明の第２の実施の形態が、前述した第１の実施の形態と異なる点を図９〜図１１を用いて説明する。図９は、本実施形態のレンズ交換式デジタルカメラの構成を示す断面図である。図３（第１の実施の形態）と異なる点は、図３で示した照明装置２１４がないかわりに、図９では、導光材６０１が設けられている点である。この導光材６０１は、バックライト照明装置２１９の光をＣＣＤ２１６のカバーガラス２１５の表面に導いている。これにより、新たに照明装置を設けることなく、クリーニングモードの時に、バックライト照明装置２１９を点灯させることにより、従来は確認し難くかったカバーガラス上のゴミ、汚れが、大変視認し易くなり、清掃の作業性が向上する。
【００４７】
図１０は、本実施形態におけるデジタルカメラの電気回路構成を示すブロック図である。図１０において、図４（本発明の第１の実施形態）と異なる点は、図４では、照明装置制御回路４０４が照明装置２１４を駆動制御していたが、本実施形態では、図１０に示す通り、照明装置制御回路４０４がバックライト照明装置２１９を駆動制御している。その他については、図４と同じである。
【００４８】
図１１は本発明の第２の実施形態に係るレンズ交換式デジタルカメラの動作の流れを示すフローチャートである。同図において、ステップＳ８０１〜ステップＳ８０４までの処理はそれぞれ、上述した第１の実施の形態における図５のステップＳ５０１〜ステップＳ５０４の処理と同一であるから、それらの説明は省略する。以下ではまず、クリーニングモードの動作に係る、ステップＳ８０５以降の処理を説明する。
【００４９】
クリーニングモードが設定されると、ステップＳ８０５で、ＴＦＴモニター装置１２０に“Ｃｌｅａｎｉｎｇ”が表示される（図８参照）。次に、ステップＳ８０６でバックライト照明装置２１９をＯＮにする。つまり、照明装置制御回路４０４により、ＴＦＴモニター装置１２０の裏側に配置されているバックライト照明装置２１９に駆動電力が供給され、ＴＦＴモニター装置１２０が視認可能になると同時に、バックライト照明装置２１９の光が、導光材６０１（図９参照）を介してカバーガラス２１５の表面に導かれ、ＣＣＤ２１６のカバーガラス（光学面）２１５が照明される。
【００５０】
次に、ステップＳ８０７で、クイックリターンミラー２０３が作動して撮影光路外に退避する（ミラーアップ）。次に、ステップＳ８０８で、先幕２１３が駆動され、先幕２１３のみが走行し、本実施形態のデジタルカメラはバルブ状態になる。ここで、レンズ２００が装着されていれば、オペレーターはレンズ２００を外して、レンズマウント２０２側から、ブロアー等の清掃用の道具を使用して、ＣＣＤ２１６の光学面（カバーガラス２１５）のゴミや汚れを取り除くことになる。本実施形態のデジタルカメラでは、ＣＣＤ２１６の光学面（カバーガラス２１５）が、導光材６０１（図９）によって照明されているので、ゴミや汚れの確認が容易で、清掃し易く大変便利である。
【００５１】
清掃が終了したら、ＴＦＴモニター装置１２０の“ＤＯＮＥ”を選択する（図８の１３０１）。ステップＳ８０９では、この“ＤＯＮＥ”が選択されたか否かを監視している。“ＤＯＮＥ”が選択されれば、ステップＳ８１０へ進み、バックライト照明装置２１９をＯＦＦにする。その後、ステップＳ８１１で後幕２１２が駆動され、後幕２１２が走行してバルブ状態が解除される。最後にステップＳ８１２で、クイックリターンミラー２０３が作動して被写体光をファインダー光学系に導く位置（斜設位置）に戻り（ミラーダウン）、一連のクリーニングモードの動作が終了する。なお、上記したステップＳ８０６〜Ｓ８０８の一連の処理の順序は異なる順序であってもよい。ステップＳ８１０〜Ｓ８１２も同様である。クリーニングモードが設定されてからその解除指示が与えられるまでの間、バルブ状態が維持されつつ、バックライト照明がＯＮされればよい。
【００５２】
次に、ステップＳ８０４において、クリーニングモードでない時の撮影動作に係る処理について説明する。まず、ステップＳ８１３では、スイッチ１（図１０の４０６）がオン（ＯＮ）したか否かを判断する。前述のとおり、このスイッチ１はレリーズボタン１１４（図１参照）の半押し状態でＯＮするスイッチであり、このスイッチ１がオンすると本デジタルカメラは撮影準備状態になる。そして、スイッチ１がオフ（ＯＦＦ）していればステップＳ８０１へ戻り、またスイッチ１がオンであれば、本デジタルカメラは次のステップＳ８１４へ進む。ステップＳ８１４ではバックライト照明装置２１９をＯＦＦにする動作を行う。これは、もしバックライト照明装置２１９がＯＮであれば、前述したように、ＣＣＤ２１６の光学面が照明されているから、この状態で被写体を撮影すると、照明光も一緒に写り込んでしまい、撮影画像に障害を与えてしまうためである。
【００５３】
以降のステップＳ８１５〜Ｓ８２２までの処理はそれぞれ、上述した第１の実施の形態における図５のステップＳ５１４〜Ｓ５２１の処理と同一であるから、その説明は省略する。
【００５４】
このように、本発明の第２の実施の形態によれば、 ＴＦＴモニター装置１２０用のバックライト照明装置２１９の光を導光材６０１によって、ＣＣＤ２１６のカバーガラス２１５の表面に導いているので、特に専用の照明装置を設けることなく、クリーニングモードの時に、バックライト照明装置を点灯させることにより、従来は確認し難くかったカバーガラス上のゴミ、汚れが、大変視認し易くなり、清掃の作業性が向上した。
【００５５】
（第３の実施の形態）
次に、本発明の第３の実施の形態を図１２〜図１３に基づき説明する。なお、本実施の形態に係るデジタルカメラの基本的な構成は、上述した第１の実施の形態における図１〜図４と概ね同様であるので、これら各図を援用して説明する。
【００５６】
本発明の第３の実施の形態が、前述した第１の実施の形態と異なる点を図１２および図１３を用いて説明する。図１２は、本実施形態であるレンズ交換式デジタルカメラの構成を示す断面図である。同図において、（ａ）はクリーニングモードの状態を示しており、（ｂ）は撮影準備状態を示している。図１２の（ａ）及び（ｂ）で、９０１は本実施形態の照明装置で、ミラーボックス内の内壁の左右何れかの側面に配置されている。この照明装置９０１は、ＡＦ（オートフォーカス）の測距点をファインダー内に表示するスーパーインポーズ表示用の照明装置も兼ねている。この点が本実施形態の特徴である。９０２は照明装置９０１のＬＥＤ光を所望の位置に照射するためのＳＩレンズで、反射面も一体的に形成されている。クリーニングモードの時は、図１２の（ａ）のようにクイックリターンミラー２０３が撮影光路上から退避し、かつシャッターはバルブ状態なので、照明装置９０１を点灯させると、ＬＥＤの光はＣＣＤ２１６のカバーガラス２１５の表面を照明することができる。よって、クリーニングモードの時は、従来は確認し難くかったカバーガラス上のゴミ、汚れが、大変視認し易くなり、清掃の作業性が向上する。
【００５７】
一方、撮影準備状態の時は、図１２の（ｂ）のようにクイックリターンミラー２０３が撮影光路上に斜設され、これに照明装置９０１の照明光が反射して、被写体光と共にファインダー光学系に導かれる。よって、所望の測距点をファインダー内に表示することができる。
【００５８】
図１３は、本実施形態におけるデジタルカメラの電気回路構成を示すブロック図である。図１３において、図４（本発明の第１の実施形態）と異なる点は、図４では、照明装置制御回路４０４が照明装置２１４を駆動制御していたが、本実施形態では、図１３に示す通り、スーパーインポーズＬＥＤ制御回路１００１がスーパーインポーズＬＥＤ１００２を駆動制御している。その他については、図４と同じである。スーパーインポーズＬＥＤ１００２のＬＥＤの一部がミラーボックス内の内壁の側面に配置されており、クリーニングモードの時に駆動され、図１２に示した照明装置９０１として機能する。
【００５９】
本実施形態に係るデジタルカメラの動作の流れを示すフローチャートについては、図５（本発明の第１の実施の形態に係るデジタルカメラの動作の流れを示すフローチャート）に同じであるので、ここでの説明は割愛する。
【００６０】
以上述べたように、本実施形態では、スーパーインポーズ表示のＬＥＤを清掃面の照明用としても兼用しているため、特に専用の照明装置を設けることなく、クリーニングモードの時に、照明装置９０１（スーパーインポーズ表示と兼用）のＬＥＤを点灯させることにより、従来は確認し難くかったカバーガラス上のゴミ、汚れが、大変視認し易くなり、清掃の作業性が向上した。
【００６１】
また、スーパーインポーズ表示のＬＥＤに多色ＬＥＤを使用すれば、クリーニングモードの時と、ＡＦ測距点のスーパーインポーズ表示の時で、発色の色を変えることも可能であり、これにより更に視認性が向上する。
【図面の簡単な説明】
【００６２】
【図１】本発明の第１〜第３の実施の形態に係るデジタルカメラの構成を示す平面図である。
【図２】本発明の第１〜第３の実施の形態に係るデジタルカメラの構成を示す背面図である。
【図３】本発明の第１の実施の形態に係るデジタルカメラの構成を示す断面図である。
【図４】本発明の第１の実施の形態に係るデジタルカメラの電気回路ブロック図である。
【図５】本発明の第１及び第３の実施の形態に係るデジタルカメラの動作の流れを示すフローチャートである。
【図６】、
【図７】、
【図８】クリーニングモードを選択する場合の、ＴＦＴモニター装置の表示内容を示す図である。
【図９】本発明の第２の実施の形態に係るデジタルカメラの構成を示す断面図である。
【図１０】本発明の第２の実施の形態に係るデジタルカメラの電気回路ブロック図である。
【図１１】本発明の第２の実施の形態に係るデジタルカメラの動作の流れを示すフローチャートである。
【図１２】本発明の第３の実施の形態に係るデジタルカメラの構成を示す断面図である。
【図１３】本発明の第３の実施の形態に係るデジタルカメラの電気回路ブロック図である。
【符号の説明】
【００６３】
１００…カメラ本体
１２０…ＴＦＴモニター装置
１２１…モニタースイッチ
１２３…メインスイッチ
１４０…外部表示液晶装置
２００…撮影レンズ
２０１…撮影光軸
２１２…後幕シャッター
２１３…先幕シャッター
２１６…ＣＣＤ
２１４…照明装置
２１９…バックライト照明装置
６０１…導光材
９０１、１００２…スーパーインポーズ表示ＬＥＤ
９０２…ＳＩレンズ
【図１】
2005203887.tif 000003
【図２】
2005203887.tif 000004
【図３】
2005203887.tif 000005
【図４】
2005203887.tif 000006
【図５】
2005203887.tif 000007
【図６】
2005203887.tif 000008
【図７】
2005203887.tif 000009
【図８】
2005203887.tif 000010
【図９】
2005203887.tif 000011
【図１０】
2005203887.tif 000012
【図１１】
2005203887.tif 000013
【図１２】
2005203887.tif 000014
【図１３】
2005203887.tif 000015